(57)【要約】  【課題】在宅での使用に便利で低コストの小型コレステロール測定装置を提供する。  【解決手段】採血された血液から血清を分離する採血部１１と、セル１２ａを有し血清と第１試薬Ｓ１を反応させる反応室１２と、前記反応室１２と電磁弁１４を介して連結され第２試薬Ｓ２を貯留しておく試料室１３とを備え、反応室１２で血清と第１試薬Ｓ１と反応させ一定時間後に電磁弁１４を開き第２試薬Ｓ２を混入してＬＤＬコレステロールを分別する。このＬＤＬコレステロールを発光部２１と受光部２２からなる光センサで検出し演算制御部２４によりＬＤＬコレステロール含有量に変換して表示部２３に表示する。【選択図】          図１
0003120610.tif 000002
【実用新案登録請求の範囲】
【請求項１】
採取された血液から血清を分離する血清分離手段と、前記血清とその成分に選択的に反応する試薬を混合して反応させる第１反応手段と、第１反応手段によって生成される反応液とその成分に選択的に反応する試薬を所定時間混合して反応させる第２反応手段と、第２反応手段によって生成する反応液中のＬＤＬコレステロールを検出し含有量を表示する検出・表示手段とを備えていることを特徴とする小型コレステロール測定装置。
【考案の詳細な説明】
【技術分野】
【０００１】
本考案は、低比重リポたん白ＬＤＬ中のコレステロール（以下、ＬＤＬコレステロールと略記する）を測定する小型コレステロール測定装置に関する。
【背景技術】
【０００２】
ＬＤＬコレステロールは、動脈硬化症、虚血性心疾患（冠動脈疾患）等の病気疾患における危険因子および発病因子であると考えられている。上記疾患の治療や予防のために日々血中のＬＤＬコレステロールの含有量の測定を行い、適正な範囲内に維持されるように食事や運動量などの管理を行うことが極めて重要であることが知られている。従来、血中内のＬＤＬコレステロール含有量の測定には、遠心分離装置や電気泳動装置などを利用して血清中のＬＤＬコレステロールを分離してその含有量を測定するＬＤＬコレステロール測定装置が一般的に用いられているが、最近、これらの装置を用いずに、血清中に各種の試薬を投入して反応させＬＤＬコレステロールを分別してその含有量を測定する方法が開示されている（例えば特許文献１及び２参照）。
【０００３】
【特許文献１】特開平０９−３１３２００号公報
【特許文献２】特開平１０−０８０３００号公報
【考案の開示】
【考案が解決しようとする課題】
【０００４】
従来、ＬＤＬコレステロール含有量の測定には、遠心分離法や電気泳動法などの分離操作を利用したＬＤＬコレステロール測定装置が用いられているが、これらの測定装置は高価で大規模な装置であるため通常病院などの医療機関に設置されており、患者自身がその医療機関に出向いてＬＤＬ検査を受けねばならず、患者、特に高齢者や病弱な患者にとっては大きな負担となっており、在宅検査が可能となりこのような負担が取り除かれることが強く要望されている。
本考案は、このような事情に鑑みてなされたものであって、小型軽量で在宅使用に適し、簡便にＬＤＬコレステロール含有量を測定できる小型コレステロール測定装置を提供することを目的とする。
【課題を解決するための手段】
【０００５】
上記の目的を達成するため、本考案の小型コレステロール測定装置は採取された血液から血清を分離する血清分離手段と、前記血清とその成分に選択的に反応する試薬を混合して反応させる第１反応手段と、第１反応手段によって生成される反応液とその成分に選択的に反応する試薬を指定時間に混合して反応させる第２反応手段と、第２反応手段によって生成する反応液中のＬＤＬコレステロールを検出し含有量を表示する検出・表示手段とを備えている。
【考案の効果】
【０００６】
本考案の小型コレステロール測定装置は小型軽量化でき、遠心分離法や電気泳動法等による高度な分離操作の必要が無くなり、簡便にＬＤＬコレステロール含有量を測定することができるので、在宅での使用が可能になる。
【考案を実施するための最良の形態】
【０００７】
以下、本考案の実施例による小型コレステロール測定装置を図面を参照しながら説明する。図１は本考案による小型コレステロール測定装置の概略構成図である。本小型コレステロール測定装置は血清に対し異なる試薬を２段階的に反応させ、血清中のＬＤＬコレステロールを分別する反応部１と、前記反応部１の反応を２段階的に操作し、分別されたＬＤＬコレステロールの含有量を検出し、その含有量を表示する測定部２から構成されている。
【０００８】
前記反応部１は、血清分離フィルタ１１ａを内蔵し、導入した被測定血液を前記血清分離フィルタ１１ａにより血清を分離する採血部１１と、この採血部１１からの血清を導入する導入口を上部に開口し、透明性のガラス又は樹脂製のセル１２ａを一体的に下部から突出させ、血清と反応させる第１試薬Ｓ１を貯留させておく反応室１２と、この反応室１２より上部に配設され、第２試薬Ｓ２を貯留させておく試料室１３と、前記反応室１２と試料室１３を接続する電磁弁１４付流路１５と、血清が前記反応室１２に導入された時点で操作し測定開始のための接点オン信号を発生するスイッチ１６から構成されている。
【０００９】
前記測定部２は、前記セル１２ａを挿んで配設されるＬＤＬコレステロールに対する吸光度が高い波長の光線を発光する発光部２１と、セル１２ａを透過した光量に比例した電気信号を発生する受光部２２と、前記電気信号を演算処理してＬＤＬコレステロール含有量に変換するとともに前記スイッチ１６からのオン信号を受信した時点からＴ１時間後に前記電磁弁１４を開放する駆動信号を出力し、前記試料室１３内の第２試薬Ｓ２を反応室１２に混合させ、一定時間毎のＬＤＬコレステロール含有量を表示部２３に表示する演算制御部２４から構成されている。
上記構成品のうち採血部１１、反応室１２及び試料室１３はそれぞれ着脱可能に取り付けられ、測定の都度交換する使い捨て部品として取り扱われる。
【００１０】
ＬＤＬコレステロールと反応させてＬＤＬコレステロールを分別する試薬として各種のものが開発されているが、例えば第１試薬Ｓ１としてリポたん白質を溶解する界面活性剤、第２試薬Ｓ２としてコレステロールを分別反応させる酵素を使用し、本小型ＬＤＬコレステロール測定装置でＬＤＬコレステロールを測定する場合の本装置の測定手順とその動作を以下に説明する。
【００１１】
先ず測定前の準備として前記演算制御部２４に電磁弁１４を開放にする時間Ｔ１を設定する。この時間Ｔ１は、第１試薬Ｓ１として使用する試薬の種類によって決められるものであるが、通常５分程度に設定される。また使用する第１試薬Ｓ１を反応室１２に、第２試薬Ｓ２を試料室１３にそれぞれ貯留する。
【００１２】
次に採血部１１に被測定血液を注射器または試験管から導入し、血液が前記血清分離フィルタ１１ａを通過し、血清が反応室１２内に導入された時点でスイッチ１６をオンにして測定をスタートする。血清と第１試薬Ｓ１は反応室１２において反応し、血清中のリポたん白質の溶解が進行する。スイッチ１６オンからＴ１時間後演算制御部２４から電磁弁１４を開放する駆動信号が出力され、試料室１３の第２試薬Ｓ２が反応室１２に注入される。これにより反応室１２内の血清内の高比重リポたん白質（ＨＤＬ）および超低比重リポたん白質（ＶＬＤＬ）中のコレステロールが優先的に反応し、ＬＤＬコレステロールの反応が遅れ、ＬＤＬコレステロールが分別される。
【００１３】
前記ＬＤＬコレステロールは前記発光部２１からの光線で照射され、光量の一部はＬＤＬコレステロールに吸収され、透過光は受光部２２で検出され、その検出値は演算制御部２４によりＬＤＬコレステロール含有量に変換され、一定時間毎に表示部２３に表示される。このＬＤＬコレステロール含有量は反応に伴い変化するが、予めほぼ安定する時間を予備試験で取得しこれを設定しておき、その時間に測定された値をＬＤＬコレステロール測定値として採用する。
【００１４】
本考案は実施例に示された構成に限定されるものではなく種々の変形が請求範囲内において考えられる。例えば前記スイッチ１６の代わりに出力信号発生付のタイマを使用することもできる。この出力信号を前記演算制御部２４に入力し駆動信号を前記電磁弁１４に出力し開放する。これにより時間Ｔ１の設定変更が容易となる。また前記採血部１１の入口に注射針を接続して直接自己採血を行えるようにすることもできる。
【産業上の利用可能性】
【００１５】
本考案は、在宅使用向きの低比重リポたん白ＬＤＬコレステロールの測定装置に用いられる。
【図面の簡単な説明】
【００１６】
【図１】本考案の実施例による小型コレステロール測定装置の概略構成図である。
【符号の説明】
【００１７】
１  反応部
１１  採血部
１１ａ  血清分離フィルタ
１２  反応室
１２ａ  セル
１３  試料室
１４  電磁弁
１５  流路
１６  スイッチ
２  測定部
２１  発光部
２２  受光部
２３  表示部
２４  演算制御部
Ｓ１  第１試薬
Ｓ２  第２試薬
【図１】
0003120610.tif 000003